【手続補正書】
【提出日】平成17年9月22日(2005.9.22)
【手続補正１】
【補正対象書類名】明細書
【補正対象項目名】特許請求の範囲
【補正方法】変更
【補正の内容】
【特許請求の範囲】
【請求項１】
ホール側に設けられた操作盤の操作を検知してエレベータの運転モードを設定するエレベータ運転制御装置であって、
通常運転モードおよび視覚障害者運転モードを備え、
ホール側操作盤のストロークボタンの周辺部に設けられたタッチセンサへのタッチの後、前記ストロークボタンが押下されたことを検知すると、視覚障害者による操作と判定し、
運転モードを前記視覚障害者運転モードに設定する
ことを特徴とするエレベータ運転制御装置。
【請求項２】
前記視覚障害者運転モードは、
視覚障害者による操作と判定された前記ホール操作盤の操作が行われた時点で設定され、当該操作により呼ばれた方向のエレベータが到着し、その階床においてエレベータ内の操作パネルで押された行き先階ボタンの最上階または最下階に到着し、エレベータの扉が開き閉じるまで継続し、該扉が閉じた時点で解除される
ことを特徴とする請求項１に記載のエレベータ運転制御装置。
【請求項３】
前記視覚障害者運転モードは、
（1）通常運転時よりエレベータ扉の開放時間を延長する扉開放時間の延長機能、(2)視覚障害者による操作と判定した階床において、一定時間エレベータ内の操作盤の行き先階入力待ちをする一定時間待機機能、(3) 視覚障害者による操作と判定した階床の乗り場において、エレベータが到着するまでの間に付加情報の音声案内を行う乗り場音声付加案内情報機能、(4)エレベータ内において、視覚障害者による操作と判定した階床から障害者運転モードが解除されるまでの間、付加情報の音声案内を行うエレベータない音声付加案内情報機能
のうちの少なくともひとつを実行するものである
ことを特徴とする請求項１または２に記載のエレベータ運転制御装置。
【請求項４】
ホール側に設けられた操作盤の操作を検知してエレベータの運転モードを設定するエレベータ運転制御方法であって、
エレベータの運転制御装置は、
エレベータの運転モードを通常運転モードおよび視覚障害者運転モードに設定可能であり、
ホール側操作盤のストロークボタンの周辺部に設けられたタッチセンサへのタッチの後、前記ストロークボタンが押下されたことを検知すると、視覚障害者による操作と判定し、
運転モードを前記視覚障害者運転モードに設定する
ことを特徴とするエレベータの運転制御方法。
【請求項５】
前記視覚障害者運転モードは、
視覚障害者による操作と判定された前記ホール操作盤の操作が行われた時点で設定され、当該操作により呼ばれた方向のエレベータが到着し、その階床においてエレベータ内の操作パネルで押された行き先階ボタンの最上階または最下階に到着し、エレベータの扉が開き閉じるまで継続し、該扉が閉じた時点で解除される
ことを特徴とする請求項４に記載のエレベータの運転制御方法。
【請求項６】
前記視覚障害者運転モードは、
（1）通常運転時よりエレベータ扉の開放時間を延長する扉開放時間の延長機能、(2)視覚障害者による操作と判定した階床において、一定時間エレベータ内の操作盤の行き先階入力待ちをする一定時間待機機能、(3) 視覚障害者による操作と判定した階床の乗り場において、エレベータが到着するまでの間に付加情報の音声案内を行う乗り場音声付加案内情報機能、(4)エレベータ内において、視覚障害者による操作と判定した階床から障害者運転モードが解除されるまでの間、付加情報の音声案内を行うエレベータない音声付加案内情報機能
のうちの少なくともひとつを実行するものである
ことを特徴とする請求項４または５に記載のエレベータの運転制御方法。
【手続補正２】
【補正対象書類名】明細書
【補正対象項目名】００１６
【補正方法】変更
【補正の内容】
【００１６】
本発明は、ホール側に設けられた操作盤の操作を検知してエレベータの運転モードを設定するエレベータ運転制御装置であって、通常運転モードおよび視覚障害者運転モードを備え、ホール側操作盤のストロークボタンの周辺部に設けられたタッチセンサへのタッチの後、前記ストロークボタンが押下されたことを検知すると、視覚障害者による操作と判定し、運転モードを前記視覚障害者運転モードに設定するエレベータ運転制御装置を提供する。
【手続補正３】
【補正対象書類名】明細書
【補正対象項目名】００１７
【補正方法】変更
【補正の内容】
【００１７】
本発明は、視覚障害者による操作と判定された前記ホール操作盤の操作が行われた時点で設定され、当該操作により呼ばれた方向のエレベータが到着し、その階床においてエレベータ内の操作パネルで押された行き先階ボタンの最上階または最下階に到着し、エレベータの扉が開き閉じるまで継続し、該扉が閉じた時点で解除されるエレベータ運転制御装置を提供する。
【手続補正４】
【補正対象書類名】明細書
【補正対象項目名】００１８
【補正方法】変更
【補正の内容】
【００１８】
本発明は、（1）通常運転時よりエレベータ扉の開放時間を延長する扉開放時間の延長機能、(2)視覚障害者による操作と判定した階床において、一定時間エレベータ内の操作盤の行き先階入力待ちをする一定時間待機機能、(3) 視覚障害者による操作と判定した階床の乗り場において、エレベータが到着するまでの間に付加情報の音声案内を行う乗り場音声付加案内情報機能、(4)エレベータ内において、視覚障害者による操作と判定した階床から障害者運転モードが解除されるまでの間、付加情報の音声案内を行うエレベータない音声付加案内情報機能のうちの少なくともひとつを実行するエレベータ運転制御装置を提供する。
【手続補正５】
【補正対象書類名】明細書
【補正対象項目名】００１９
【補正方法】変更
【補正の内容】
【００１９】
本発明は更に、ホール側に設けられた操作盤の操作を検知してエレベータの運転モードを設定するエレベータ運転制御方法であって、エレベータの運転制御装置は、エレベータの運転モードを通常運転モードおよび視覚障害者運転モードに設定可能であり、ホール側操作盤のストロークボタンの周辺部に設けられたタッチセンサへのタッチの後、前記ストロークボタンが押下されたことを検知すると、視覚障害者による操作と判定し、運転モードを前記視覚障害者運転モードに設定するエレベータ運転制御装置を提供する。
【手続補正６】
【補正対象書類名】明細書
【補正対象項目名】００２０
【補正方法】変更
【補正の内容】
【００２０】
本発明は更に、視覚障害者による操作と判定された前記ホール操作盤の操作が行われた時点で設定され、当該操作により呼ばれた方向のエレベータが到着し、その階床においてエレベータ内の操作パネルで押された行き先階ボタンの最上階または最下階に到着し、エレベータの扉が開き閉じるまで継続し、該扉が閉じた時点で解除されるエレベータ運転制御装置を提供する。
【手続補正７】
【補正対象書類名】明細書
【補正対象項目名】００２１
【補正方法】変更
【補正の内容】
【００２１】
本発明は更に、（1）通常運転時よりエレベータ扉の開放時間を延長する扉開放時間の延長機能、(2)視覚障害者による操作と判定した階床において、一定時間エレベータ内の操作盤の行き先階入力待ちをする一定時間待機機能、(3) 視覚障害者による操作と判定した階床の乗り場において、エレベータが到着するまでの間に付加情報の音声案内を行う乗り場音声付加案内情報機能、(4)エレベータ内において、視覚障害者による操作と判定した階床から障害者運転モードが解除されるまでの間、付加情報の音声案内を行うエレベータない音声付加案内情報機能のうちの少なくともひとつを実行するものであるエレベータ運転制御装置を提供する。
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】